(57)【特許請求の範囲】
【請求項１】
モータと、
該モータによって回転駆動される鋸刃と、
該鋸刃の外周の一部を覆うソーカバーと、
該ソーカバーに着脱可能に取り付けられた集塵カバーを備えた携帯用切断機において、
前記集塵カバーの一端部に操作部材を、他端部に掛け止部を設けると共に、前記掛け止
部から前記操作部材へと伸びる線の上方側に位置する第１の段差と、前記掛け止部から前記操作部材へと伸びる線の下方側に位置する第２の段差を有することを特徴とする携帯用切断
機。
【請求項２】
前記第１の段差及び前記第２の段差の間であって前記操作部材側に、第３の段差を有することを特徴とする請求項１に記載の携帯用切断機。
【請求項３】
前記操作部材を前記集塵カバーにスライド可能に設けるとともに、該操作部材に係合爪
を設け、該係合爪が選択的に係合する係合部を前記ソーカバーに形成し、前記操作部材を
その係合爪が前記ソーカバーの係合部に係合する方向に付勢する付勢手段を設けたことを
特徴とする請求項１から請求項２のいずれか１項記載の携帯用切断機。
【請求項４】
前記操作部材の係合爪に斜面を形成し、前記集塵カバーの装着動作によって前記操作部
材が前記付勢手段の付勢力に抗して反係合方向に移動するよう構成したことを特徴とする
請求項１から請求項３までのいずれか１項記載の携帯用切断機。
【請求項５】
前記ハンドルは前記操作部材と共に前記鋸刃の切断方向後側に設けられることを特徴とする請求項１乃至請求項４のいずれか１項に記載の携帯用切断機。
【発明の詳細な説明】
【技術分野】
【０００１】
本発明は、モータによって回転駆動される円板状の鋸刃によって切断作業を行う携帯用切断機に関するものである。
【背景技術】
【０００２】
例えばチップソーカッター等の携帯用切断機は、モータと、該モータによって回転駆動される円板状の鋸刃と、該鋸刃の外周の一部を覆うソーカバーと、該ソーカバーに着脱可能に取り付けられた集塵カバーを備えている。
【０００３】
上記集塵カバーは、切断作業によって発生する粉塵（切粉）を集塵するためのものであって、これに粉塵が溜ると、ソーカバーから取り外されて清掃される。
【０００４】
ここで、図１０に従来の携帯用切断機１０１におけるソーカバー１０４の着脱構造を示すが、同図に示すように、集塵カバー１１０は、その中心部が蝶ボルト１２０によってソーカバー１０４に取り付けられており、蝶ボルト１２０を回して固定を解除することによってソーカバー１０４から取り外される。この着脱構造では、ソーカバー１０４の着脱に際して蝶ボルト１２０を回す必要があるため、その操作が面倒であるという問題がある。
【０００５】
又、特許文献１には、ソーカバー（ブレードケース）の裏側からロックバーを軸方向に移動させるとともに軸回りに回動させることによって、該ロックバーの先端屈曲部をソーカバーの被係合部に係脱させて集塵カバー（ダストケース）の取付状態をロック・アンロックする着脱構造が提案されている。
【０００６】
【特許文献１】特開２００５−１３８２２０号公報
【発明の開示】
【発明が解決しようとする課題】
【０００７】
しかしながら、特許文献１において提案された集塵カバー（ダストケース）の着脱構造では、ロックバーをソーカバー（ブレードケース）の裏側から操作する構成が採用されているため、集塵カバーの着脱を両手で行う場合に切断機本体を確実に押さえることができない可能性がある。また、集塵カバーを着脱する際に、一方の手で切断機本体を確実に押さえながら、他方の手で集塵カバーを操作性良く着脱することができないものであった。
【０００８】
本発明は上記問題に鑑みてなされたもので、その目的とする処は、一方の手で切断機本体を確実に押さえながら、他方の手で集塵カバーを操作性良く着脱することができる携帯用切断機を提供することにある。
【課題を解決するための手段】
【０００９】
上記目的は、モータと、該モータによって回転駆動される鋸刃と、該鋸刃の外周の一部を覆うソーカバーと、該ソーカバーに着脱可能に取り付けられた集塵カバーを備えた携帯用切断機において、前記集塵カバーの一端部に操作部材を、他端部に掛け止部を設けると共に、前記掛け止部から前記操作部材へと伸びる線の上方側に位置する第１の段差と、前記掛け止部から前記操作部材へと伸びる線の下方側に位置する第２の段差を有することを特徴とする携帯用切断機によって達成することができる。
【発明の効果】
【００１０】
請求項１記載のように、モータと、該モータによって回転駆動される円板状の鋸刃と、該鋸刃の外周の一部を覆うソーカバーと、該ソーカバーに着脱可能に取り付けられた集塵カバーを備えた携帯用切断機において、前記集塵カバーの一端部に操作部材を、他端部に掛け止部を設け、前記操作部材から前記掛け止部の方向へとほぼ伸びるように段差部を設け、前記操作部材の片手による操作によって前記集塵カバーのソーカバーへの固定を解除するよう構成したことを特徴とする携帯用切断機で構成したために、一方の手で携帯用切断機を確実に押さえながら、他方の手で集塵カバーの段差部をしっかりと把持しながら操作部材を操作することができるために、操作性良く集塵カバーを着脱することができる。
【００１１】
請求項２記載のように、前記段差部は、前記掛け止部から前記操作部材まで伸びる方向の一方側に第１の段差を有し、他方側に第２の段差を有することを特徴とする請求項１記載の携帯用切断機としたために、他方の手で把持する際に、第１の段差及び第２の段差を掴むことによって、しっかりと集塵カバーを把持することができる。
【００１２】
請求項３に記載のように、前記第１の段差は前記掛け止部から前記操作部材まで伸びる線の略上方側に設けられ、前記第２の段差は、前記掛け止部から前記操作部材まで伸びる線の下方側に設けられることを特徴とする請求項２記載の携帯用切断機としたために、第１の段差及び第２の段差を掴む際に、他方の手でよりしっかりと把持することができる。
【００１３】
請求項４に記載のように、前記段差部は、前記第１の段差及び前記第２の段差の間であって前記操作部側に、第３の段差を有することを特徴とする請求項３記載の携帯用切断機としたために、第３の段差によって、第１の段差及び第２の段差を左手で把持した際に、第３の段差を掴むことができるために、よりしっかりと掴むことができる。
【００１４】
請求項５に記載のように、前記操作部材を前記集塵カバーにスライド可能に設けるとともに、該操作部材に係合爪を設け、該係合爪が選択的に係合する係合部を前記ソーカバーに形成し、前記操作部材をその係合爪が前記ソーカバーの係合部に係合する方向に付勢する付勢手段を設けたことを特徴とする請求項１から請求項４のいずれか１項記載の携帯用切断機としたために、他方の手で集塵カバーを携帯用切断機から取り外しを行う際に容易に集塵カバーを取り外すことができる。
【００１５】
請求項６に記載のように、前記操作部材の係合爪に斜面を形成し、前記集塵カバーの装着動作によって前記操作部材が前記付勢手段の付勢力に抗して反係合方向に移動するよう構成したことを特徴とする請求項１から請求項５までのいずれか１項記載の携帯用切断機としたために、集塵カバーを片手で携帯用切断機に取付ける際に、斜面によって自動的に係合される構成であるために、容易に取付けることができる。
【発明を実施するための最良の形態】
【００１６】
以下に本発明の実施の形態を添付図面に基づいて説明する。
【００１７】
図１は本発明の実施の形態に係る携帯用切断機の正面図、図２は本発明の実施の形態に係る携帯用切断機の平面図、図３は本発明の実施の形態に係る携帯用切断機の集塵カバーの取り外す動作を示す平面図、図４は本発明の実施の形態に係る携帯用切断機の集塵カバーの平面図及びその一部拡大図、図５は集塵カバーを左手で取り外す動作を示す側面図、図６は集塵カバーを右手で取り外す動作を示す側面図、図７は集塵カバーの斜視図、図８は、図９は図１のＡ−Ａ線断面であって、集塵カバーの取り付け動作を示す図である。
【００１８】
図１及び図２に示す携帯用切断機１は、モータ２を駆動源とする電気式のものであって、切断機本体１Ａにはモータ２が横置き状態で水平に配置されている。このモータ２の不図示の出力軸（モータ軸）の端部には円板状の鋸刃３が取り付けられており、該鋸刃３は、その上半部外周がソーカバー４によって覆われるとともに、下半部の一部は出力軸を中心として回動可能な保護カバー５によって覆われている。
【００１９】
又、切断機本体１Ａには、作業者が把持するためのハンドル６が設けられており、このハンドル６には、電源コード７から前記モータ２への通電をＯＮ／ＯＦＦして当該携帯用切断機１を起動／停止するためのスイッチ８が設けられている。
【００２０】
更に、切断機本体１Ａには、不図示の被切断材上に載置される矩形プレート状のベース９が設けられており、このベース９に形成されたスリット状の不図示の挿通溝を前記鋸刃３が貫通し、該鋸刃３の一部が図１に示すようにベース９の下方に突出している。
【００２１】
ところで、前記ソーカバー４には、切断作業によって発生する粉塵（切粉）を集塵するための集塵カバー１０が着脱可能に取り付けられている。ここで、本実施の形態では、集塵カバー１０は操作部によってソーカバー４に対して片手で着脱することができ、該集塵カバー１０の固定を操作部１１を片手で解除してこれを図３及び図４に示すように掛け止部１０ａを中心として矢印ａ方向に回すことによって取り外すことができる。この際には、図３に示すように、一方の手Ｌで切断機本体１Ａを確実に抑えることができ、他方の手Ｒで集塵カバー１０を把持することができるようになっている。なお、図３では、例として、一方の手を右手Ｒとし、他方の手を左手Ｌとしているが、図６と共に後述するように左右の手を逆にして、切断機本体１Ａより集塵カバー１０を着脱することも可能である。
【００２２】
図４に示すように、集塵カバー１０の掛け止部１０ａは、ソーカバー４の端部に引掛けることができるようになっている。集塵カバー１０を携帯用切断機１に取付けることは、まず掛け止部１０ａをソーカバーに引掛け、その後、図９に示すように、集塵カバーを切断機本体１Ａの方向へと移動させることによる。
【００２３】
なお、図１に示すように集塵カバー１０の一端部には、操作部材１１が設けられ、他端部には図４において示す掛け止部１０ａが設けられている。
【００２４】
図１、図３及び図７に示すように、集塵カバー１０には、段差部１０ｂが設けられている。このように段差部を設ける構成としたために、後述する操作部１１を操作する際に、段差部１０ｂをしっかりと把持することができる。
【００２５】
段差部１０ｂは、操作部材１１から掛け止部１０の方向へとほぼ伸びるように設けられている。段差部１０ｂには、第１の段差１０ｂ１、第２の段差１０ｂ２、第３の段差１０ｂ３がある。段差部１０ｂによって、切断機本体１Ａを確実に押さえる一方の手とは異なる他方の手で、集塵カバー１０を把持する際に容易に把持することができるようになっている。
【００２６】
図２及び図７に示すように、第１の段差１０ｂ１は、掛け止部１１から操作部１０ａへと伸びる線の上方側に設けられており、第２の段差１０ｂ２は、掛け止部１１から操作部１０ａへと伸びる線の下方側に設けられている。このように、第１の段差１０ｂ１及び第２の段差１０ｂ２によって、しっかりと把持することができるようになっている。また、第１の段差１０ｂ１は、掛け止部１１から操作部１０ａへと伸びる方向の上方側に設けられており、第２の段差１０ｂ２は、掛け止部１１から操作部１０ａへと伸びる方向の下方側に設けられているために、よりしっかりと把持することができるようになっている。
【００２７】
また、第３の段差１０ｂ３は、第１の段差１０ｂ１及び第２の段差１０ｂ２の間であって、操作部側に設けられている。
【００２８】
図５に集塵カバー１０を左手Ｌで携帯用切断機１より取り外す様子を示す。なお、この際には、右手は切断機本体１Ａを押さえている。
【００２９】
左手の親指で第１の段差１０ｂ１を、中指で第３の段差部１０ｂ３を、薬指及び小指で第２の段差部１０ｂ２を把持している。人差し指で操作部１１を、操作することによって、集塵カバー１０とソーカバー４の係合は外れるようになっている。このように、第３の段差１０ｂ３によって、左手Ｌで集塵カバー１０を把持する際には、よりしっかりと把持することができるようになる。
【００３０】
図６に集塵カバー１０を右手Ｒで携帯用切断機１より取り外す様子を示す。なお、この際には、左手は切断機本体１Ａを押さえている。
【００３１】
右手の親指で第２の段差１０ｂ２を、中指、薬指及び小指で第１の段差１０ｂ１を把持している。人差し指で操作部１１を操作することによって、集塵カバー１０のソーカバー４との係合は外れるようになっている。
【００３２】
而して、以上のように構成された携帯用切断機１を用いて木材等の被切断材を切断するには、ベース９の底面を被切断材上に載置し、スイッチ８をＯＮしてモータ２を起動する。すると、鋸刃３がモータ２によって図１の矢印方向（反時計方向）に回転駆動され、ハンドル６を把持して携帯用切断機１を被切断材の表面に沿って移動させれば、回転する鋸刃３によって被切断材が切断され、このとき発生する粉塵（切粉）は鋸刃３の回転に伴って発生する空気流によって上方へ巻き上げられてソーカバー内に進入し、空気流と共にソーカバー４の内周壁に沿って流れて最終的には集塵カバー１０によって回収されて蓄積される。
【００３３】
従って、集塵カバー１０に粉塵が溜ると、集塵カバー１０がソーカバー４から取り外されて清掃される。
【００３４】
操作部１１付近について図８及び図９を用いて説明する。集塵カバー１０の外周の一部には操作レバー１１がスライド可能に設けられており、この操作レバー１１のソーカバー４側の内端部には上方に向かって伸びる係合爪１１ａが一体に形成され、外端部には操作突起１１ｂが形成されている。ここで、操作レバー１１の係合爪１１ａには斜面１１ａ−１が形成されている。
【００３５】
他方、ソーカバー４の操作レバー１１に対向する箇所には開口部４ａが形成されており、該開口部４ａの周縁の一部（上部）は係合部４ｂを構成しており、該係合部４ｂに操作レバー１１の係合爪１１ａが選択的に係合される。そして、集塵カバー１０には、操作レバー１１の係合爪１１ａがソーカバー４の係合部４ｂに係合する方向（図８の斜め上方）に集塵カバー１０を付勢するスプリング１２が縮装されている。
【００３６】
而して、図１及び図２に示すように集塵カバー１０がソーカバー４に取り付けられている状態では、図８に示すように、スプリング１２によって付勢された操作レバー１１の係合爪１１ａがソーカバー４の係合部４ｂに係合しているため、集塵カバー１０はソーカバー４に確実に固定されており、集塵カバー１０がソーカバー４から外れることがない。
【００３７】
上述のように集塵カバー１０がソーカバー４に固定された状態において、集塵カバー１０に溜まった粉塵を除去して清掃するために集塵カバー１０を取り外す必要が生じた場合には、作業者は一方の手で段差部１０ｂを把持することによって、切断機本体１Ａを確実に押さえながら、他方の手で図６に示すように操作レバー１１の操作突起１１ｂを操作して該操作レバー１１をスプリング１２の付勢力に抗して押し下げれば、該操作レバー１１の係合爪１１ａとソーカバー４の係合部４ｂとの係合が解除されるため、図３に示すように集塵カバー１０を掛け止部１０ａを中心として矢印ａ方向に回すことによってこれを操作性良く容易に取り外すことができる。
【００３８】
そして、取り外した集塵カバー１０をソーカバー４に取り付けるには、前述のように該集塵カバー１０の掛け止部１０ａをソーカバー４に嵌め込み、そこを中心として集塵カバー１０を図９の矢印ｃ方向に回動させ、操作レバー１１を何ら操作することなく集塵カバー１０を図７に示すように片手でソーカバー４に矢印ｃ方向に押し込むだけでこれをソーカバー４に取り付けることができる。
【００３９】
即ち、本実施の形態では操作レバー１１の係合爪１１ａに斜面１１ａ−１を形成したため、集塵カバー１０を図７の矢印ｃ方向に押し込むと、係合爪１１ａの斜面１１ａ−１がソーカバー４の係合部４ｂに係合し、楔作用によって係合爪１１ａには矢印ｄ方向の力が作用する。このため、操作レバー１１はスプリング１２の付勢力に抗して矢印ｄ方向の押し下げられ、その係合爪１１ａがソーカバー４の係合部４ｂを乗り越えることができる。そして、操作レバー１１の係合爪１１ａがソーカバー４の係合部４ｂを乗り越えると、操作レバー１１はスプリング１２の付勢力によって押し上げられるため、図５に示すように係合爪１１ａがソーカバー４の係合部４ｂに係合し、集塵カバー１０がソーカバー４に固定される。このように集塵カバー１０を切断機本体１Ａの方向へと押し込むことによって、自動的に係合操作性良くができる。
【００４０】
本発明の実施の形態では、集塵カバー１０にソーカバー４と係合する掛け止部１０ａを設ける構成としたが、ソーカバーに掛け止部があり、集塵カバーに係合できる構成であっても本発明の効果と同様の効果を奏することができる。
【００４１】
本発明の実施の形態では、電源コード７によって、給電する構成としたが、繰り返し充電可能な充電池によって給電ができるものであっても本発明の効果と同様の効果を奏することができる。
【図面の簡単な説明】
【００４２】
【図１】本発明の実施の形態に係る携帯用切断機の正面図である。
【図２】本発明の実施の形態に係る携帯用切断機の平面図である。
【図３】本発明の実施の形態に係る携帯用切断機の集塵カバーの取り外す動作を示す平面図である。
【図４】本発明の実施の形態に係る携帯用切断機の集塵カバーの平面図及びその一部拡大図である。
【図５】集塵カバーを左手で取り外す動作を示す側面図である。
【図６】集塵カバーを右手で取り外す動作を示す側面図である。
【図７】集塵カバーの斜視図である。
【図８】図１のＡ−Ａ線断面図である。
【図９】図１のＡ−Ａ線断面であって、集塵カバーの取り付け動作を示す図である。
【図１０】従来の携帯用切断機の破断平面図である。
【符号の説明】
【００４３】
１          携帯用切断機
１Ａ        切断機本体
２          モータ
３          鋸刃
４          ソーカバー
４ａ        ソーカバーの開口部
４ｂ        ソーカバーの係合部
４ｃ        ソーカバーの通過孔
４ｄ        ソーカバーの係合部
４ｅ        ソーカバーのストッパ
５          保護カバー
６          ハンドル
７          電源コード
８          スイッチ
９          ベース
１０        集塵カバー
１０ａ      集塵カバーの掛け止部
１０ｂ      集塵カバーの段差部
１０ｂ１    第１の段差
１０ｂ２    第２の段差
１０ｂ３    第３の段差
１１        操作レバー（操作部材）
１１ａ      操作レバーの係合爪
１１ａ−１  係合爪の斜面
１１ｂ      操作レバーの操作突起
１２        スプリング（付勢手段）
【図１】
0005239334.tif 000002
【図２】
0005239334.tif 000003
【図３】
0005239334.tif 000004
【図４】
0005239334.tif 000005
【図５】
0005239334.tif 000006
【図６】
0005239334.tif 000007
【図７】
0005239334.tif 000008
【図８】
0005239334.tif 000009
【図９】
0005239334.tif 000010
【図１０】
0005239334.tif 000011